(57)【要約】      （修正有）【課題】  ラップフィルムの収納箱からフィルムを引き出して使用する際、箱体の開口部からラップフィルムが飛び出したり、フィルムが傾斜したり、或いはフィルムの切り口が取出し口に密着して、スムーズに取出せないなど問題が多い。また金属製のカッターの廃棄処分にも難があり、箱体の保管場所も限定される。これら従来の問題点を解決する収納箱を提供する。【解決手段】筒体に巻装されたラップフィルム体Ａを収納し、所定の長さに切断可能な箱体であって、前板１、底板２、背板３、対向する側板４とでなり、開口部５を封じる蓋体６は２分割構成とし、一方は前板１の一辺１ａに連接し、その両端部が側板４に組付け自在な固定蓋６ａで、他の一方は背板３の一辺３ａに連設し、一辺１ｂがカッター７付きのカッター蓋６ｂで、固定蓋６ａのラップフィルム体Ａとの接触点となる一辺１ｃと背板３との間に開口部スペース５ａを設定したラップフィルム収納箱とする。【選択図】  図１
2006199368.tif 000002
【特許請求の範囲】
【請求項１】
筒体に巻装されたラップフィルム（Ａ）を収納し、所定の長さに巻もどし、切断可能な長方形状の箱体が、前板（１）、底板（２）、背板（３）、対向する側板（４）とでなり、その箱体の開口部（５）はラップフィルム体（Ａ）の出し入れ口で、これらの開口部（５）を封じる蓋体（６）は一辺（１ｂ）にカッター（７）を設け、背板（３）の一辺（３ａ）に連接して開閉の自在でなるラップフィルムの収納箱において、当該蓋体（６）を２分割構成し、一面は前板（１）の一辺（１ａ）に連接して、その端子が双方の側板（４）に組付け自在での固定蓋（６ａ）で他の一面は背板（３）の一辺（３ａ）に連設し、他の長手片面（１ｂ）は、カッター（７）付でラップフィルム体（Ａ）を切断するためのカッター蓋（６ｂ）を設けた２分割で該固定蓋（６ａ）がラップフィルム体（Ａ）の出口で引き伸ばし時の接触点となる一辺（１Ｃ）と背板（３）とに所定の開口部スペース（５ａ）を設定したことを特徴とするラップフィルムの収納箱。
【請求項２】
前記するカッター蓋（６ｂ）に設けたラップフィルム体（Ａ）の切断用のカッター（７）の固着手段を、カッター蓋（６ｂ）の長手片面（１ｂ）を、カッター（７）の刃部に近接して並列する折り曲げ部（７ａ）を設け、その開口スリット（７ｂ）をカッター蓋（６ｂ）の一辺（１ｂ）をさし込み固着し、此れらのカッター（７）がラップフィルムの収納箱の廃棄処分時に、紙材の箱体からカッター（７）の金属材などの刃物材を容易に取外し、夫々を分別可能にしたことを特徴とする請求項１記載のラップフィルムの収納箱。
【請求項３】
前記する従来技術でのラップフィルムの収納箱と請求項１及び２項でのラップフィルムの収納箱でのカッター（７）のほぼ中央部に位置して、突き出し部（７Ｃ）を設け、その突出し部が整合する蓋体（６）に逃げ孔（８）を設け、ラップフィルム体（Ａ）の引出し切断時に、突出し部（７Ｃ）にラップフィルム体（Ａ）の引出し部が挟着可能にしたことを特徴とするラップフィルムの収納箱。
【請求項４】
前記する従来技術及び請求項１、２又は３項記載の蓋体６、カッター蓋６ｂに具備するカッター（７）の両サイドに近接して、引っ掛け用の孔部（９）を設けたことを特徴とするラップフィルムの収納箱。
【発明の詳細な説明】
【技術分野】
【０００１】本発明は、食品の入った容器の密封に用いられるラップフィルムの入っている収納箱の改善に関する。
【背景技術】
【０００２】此の種の従来の技術として、これらを図６、７で述べるに筒体に巻装されたラップフィルム体Ａを収納し、所定の長さに巻戻し、切断可能な長方形状の紙質での箱体が、前板１’、底板２’、背板３’、対向する側板４’が連接して構成し、その箱体の開口部５’はその開口部５’にラップフィルム体Ａが出し入れされ背板３’の一辺３ａ’に連接して折り曲げ自在での蓋体６’が設けられている。【０００３】これらの蓋体６’は三方向の折り曲げ部でなる箱状で、その長手片面１ｂ’に薄板状の金属製のノコ切り刃状のカッター７が固定されている。【０００４】ラップフィルム体Ａは箱体の開口部５’から収納され、その端部を引き出して図６で述べるように矢印方向に引き出してそれを前板１’の表面とカッター７の固着する開閉自在でなる蓋体６’にサンドイッチ的に挟み込まれ、食材の入れられた食器にかぶせる所定の長さで食器に入れられた食材を封印した後にカッター７に押し圧した箱体を移行させることなどでカッター７がラップフィルム体Ａから必要な分だけ切断することが出来る。
【発明の開示】
【発明が解決しようとする課題】
【０００５】しかしながら上記するラップフィルムの収納箱は、ラップフィルム体Ａを引き出す時に、フィルムの切口を使用者が指先で摘んで引き出すのに箱体の開口部５’が全開きになりやすいことでラップフィルム体Ａが開口部５’から浮き上がったり、傾斜したりすることでスムーズにラップフィルム体Ａの筒体が回転出来ないことでフィルムの引出しに難であるなどの課題がある。【０００６】そしてまた、ラップフィルム体Ａを引き伸ばして、食材の入った食器Ｂなどを封印して保存する際、切断したラップフィルム体Ａの端末が前板１’の表面に密着した状態で残ることで、再度端末を摘んで引き伸ばすのにラップ端末を摘みにくいなどの難が課題となる。【０００７】また、引き伸ばされたラップが逆戻りのためラップフィルム体Ａの端末が箱体に巻戻ってしまうなどの課題がある。【０００８】次にまた、使用済となったラップフィルムの収納箱を廃棄処分するのに紙材の本体とカッター７の金属材などの刃物材を簡単に分離出来ないため分別しないで一般ゴミ扱いになるなどの課題がある。【０００９】また、ラップフィルムの収納箱の保管は使用前後共、棚やテーブルなどの狭いスペースで保管されるため咄嗟に使用する際など置場所を探さなければならないなどの課題があることで即ち、使いやすい場所で壁面やハンガーに引っ掛けられたら便利などの要望がある。
【課題を解決するための手段】
【００１０】この発明は係る課題を解決するために、請求項１での発明を図１．２で述べるように、筒体に巻装されたラップフィルム体Ａを収納し、所定の長さに巻戻し、切断可能な長方形状の箱体が前板１、底板２、背板３、対向する側板４とでなり、その箱体の開口部５は、ラップフィルム体Ａの出し入れ口で、これらの開口部５を封じる蓋体６は一辺１ｂにカッター７を設け、背板３の一辺３ａに連接して開閉自在でなるカッター蓋６ｂを設ける。【００１１】さらに、開口部５はもう一板の固定蓋６ａが、前板１の一辺１ａにに連接して、その端子が双方の側板４に組付け自在に係止する。これらの固定蓋６ａの他の一辺１ｃは、ラップフィルム体Ａの出口で引き伸ばし時の接触点となるが、この一辺１ｃと背板３とに所定の開口部スペース５ａを設定した、開口部５は２分割での蓋体６の構成である。【００１２】次に請求項２での発明を図３で述べるように、カッター蓋６ｂに設けたラップ体Ａの引出し部の切断用のカッター７の固着手段を、カッター蓋６ｂの長手片面１ｂを、カッター７の刃部に近接して並列する折り曲げ部７ａを設け、その開口スリット７ｂをカッター蓋６ｂの一辺１ｂにさし込み固着し、此れらのカッター７がラップフィルムの収納箱の廃棄処分時に、紙材の箱体からカッター７の金属材などの刃物材を容易に取外し、夫々を分別可能にし、リサイクルの利便性を考えての発明である。【００１３】また、次には請求項３での発明を図４で述べるように、従来技術でラップフィルムの収納箱でのカッター７（７’）のほぼ中央部に位置して、突き出し部７ｃを設け、その突出し部が整合する蓋体６に逃げ孔８を設け、ラップフィルム体Ａの引出し部挟着可能にした構成です。【００１４】次に請求項４での発明を図５で述べるに、カッター７の固着するカッター蓋６ｂに具備するカッター７の両サイドに近接して、引っ掛け用の孔部９を設けた構成である。
【発明の効果】
【００１５】本発明は上述の通り構成作用するので、次の優れた効果を奏する。即ち、第１実施例で述べるように、長方形状でのラップフィルム体が収納する箱体の開口部は常時固定蓋によって閉成状態でラップフィルム体からのラップフィルムの引出し口が狭いため、収納されたラップフィルム体からのラップフィルムをどんな方向から引張ってもラップフィルム体の回転がスムーズに回動し、ラップフィルム体が外部に飛び出したり傾斜することのないスムーズに弱い力でラップフィルムの引出しが出て食材のラップ作業の出切るラップフィルムの収納箱を提供出来る。【００１６】次に第２実施例で述べるように、ラップフィルム体の使用済での廃棄処分には、紙材の箱体から金属材のカッターなどの刃物材を素手で簡単に分離出来ることで分別廃棄物に最適なラップフィルムの収納箱を提供出来る。【００１７】次にまた第３実施例で述べるように、ラップフィルム体を箱体から巻き戻して引張って切断するのにカッターに設けた突出し部がラップフィルムにくいついて挟着されることで切断後のラップフィルムの端子が箱中に逆もどりしたり、フィルムの取出し口が逆戻りして使いにくいなどのないラップフィルムの収納箱を提供出来る。【００１８】また第４実施例では、ラップフィルムの収納箱の保管するのに見やすい壁や取りやすいラックなどのフックに引っ掛けておけるラップフィルムの収納箱を提供出来る。
【発明を実施するための最良の形態】
【００１９】以下に図示の実施例に基づいて本発明での最良の形態を説明するに、請求項１での本発明を図１．２で述べるに、家庭での食材入れの容器をラップするラップフィルム体Ａは、紙管に巻き込まれた極薄のポリ塩化ビニリデン原材が主流で、それらは紙質で連接する長方形状の箱体が、前板１、底板２、背板３対向する側板４とで形成する。【００２０】これらの箱体の開口部５を開閉自在での蓋体６は二分割構成し、一面は前板１の一辺１ａに連接し、その両側は側板４の両サイドに夫々組付け自在での固定蓋６ｂで開口部５をわずかな解放スペースを残して、常時箱体の蓋体６として構成する。【００２１】更に、もう一面でなる開口部５を封印し、カッター７を具備するカッター蓋６ｂは、背板３の一辺３ａに折り曲げ自在で、対向に前板１に連接する固定蓋６ｂに重ねられた双方の隙間からは、ラップフィルム体Ａから引き出された端子が頭出しとして所定の長さだけ引き伸ばされて、利用者によって押し圧されるカッター蓋６ｂのカッター７によって切断することが出来ることで、箱体に収納されたラップフィルム体Ａは開口部５から常時飛び出すことのない形態で、開口部スペース５ａからラップフィルムは頭出しを可能にし、どんな方向からの引き伸ばしにも対応してスムーズにラップフィルム体Ａは自在に回動する。【００２２】次に請求項２での発明を図３で述べるに、前記するカッター蓋６ｂに設けたラップフィルム体Ａの切断用の金属製で加工されるノコ刃状のカッター７の刃部に近接して並列する折り曲げ部７ａを要所要所に設けたカッターＡを形成する。【００２３】これらのコの字状にカッター７面上に設定したその開口スリット７ｂをカッター蓋６ｂ一辺１ｂをさし込んで固着するが、本実施例ではカッター蓋６ｂとカッター７との固着を完全なものにし、カッター７の遊びを止めるためカッター７を更にセロテープＣなどでカッター蓋６ｂに密着させることで、これらのカッター７の組付けはカッター蓋６ｂから素手でごく容易に分離することが出来る。【００２４】そして、ラップフィルムの収納箱のラップフィルム体Ａが使用後はそのままに一般ゴミとして廃棄処分することなく、紙材でなる箱体と金属製などでなるカッター刃などの刃物材を分別処分の出来ることがポイントとされる。【００２５】次に請求項３での発明を図４で述べるに、前記する従来技術でのラップフィルムの収納箱を含めて、全て蓋体６に具備する金属製でのカッター７にプレス加工などでカッター７の中央部に位置して、裏面に向けて、突出し部７ｃを設けるが、これらの突出し部７ｃの蓋体６が、ラップフィルム体Ａの頭し部の引出し端を介して接合する固定蓋６ａ或いは、前板１［図６］の接合点に位置してカッター７に設けた突出し部７ｃに整合する逃げ孔８が開口する。【００２６】即ち、ラップフィルムの引出し部が固定板６ｂの一辺１ｃを接線交差し固定蓋６ａ面とカッター蓋６ｂの間に挟まれたラップフィルムに突出し部７ｃが突き破って、ラップフィルムがカッター７にくっつくことで切断後に引き出し部の逆もどりが防止される。【００２７】次に請求項４での発明を図５で述べるに、前記するラップフィルム収納箱の保管場所を見やすい手近に定着させるための壁掛け或いはラックなどのハンガーを使って、引っ掛け保管出来るようにしたもので、カッター７７’の両サイド又は片端に近接して、引っ掛け用の孔部９を設けた構成である。
【図面の簡単な説明】
【００２８】
【図１】  本発明に係わる第１実施例での全体斜視図である。
【図２】  本発明に係わる第１実施例での要部断面図である。
【図３】  本発明に係わる第２実施例での要部を示す斜視図である。
【図４】  本発明に係わる第３実施例での要部を示す斜視図である。
【図５】  本発明に係わる第４実施例での要部を示す斜視図である。
【図６】  従来技術での使用例での一部断面を示す全体斜視図である。
【図７】  従来技術での要部断面図である。
【符号の説明】
【００２９】１．１’                前板
１ａ．１ｂ．１ｃ．３ａ  一辺
１ｂ’                  長手片面
２．２’                底板
３．３’                背板
４．４’                側板
５．５’                開口部
５ａ                    開口スペース
６．６’                蓋体
６ａ                    固定蓋
６ｂ                    カッター蓋
７                      カッター
７ａ                    折り曲げ部
７ｂ                    開口スリット
７ｃ                    突出し部
Ａ                      ラップフィルム体
Ｂ                      セロテープ
【図１】
2006199368.tif 000003
【図２】
2006199368.tif 000004
【図３】
2006199368.tif 000005
【図４】
2006199368.tif 000006
【図５】
2006199368.tif 000007
【図６】
2006199368.tif 000008
【図７】
2006199368.tif 000009